(57)【要約】  【課題】楽器奥行き方向の寸法を小さくすることができ、しかも開放途中及び全開のどの位置からでも鍵盤蓋を適正に閉じることができる電子鍵盤楽器を提供する  【解決手段】鍵盤蓋１が、前蓋部１０及び後蓋部２０と、両蓋部を連結する連結対３０とを備え、側板５には、前後方向に延びるガイド溝５０が設けられており、ガイド溝５０は、前側に位置する第１ガイド部５１と、第１ガイド部後端の分岐箇所５５から後方へ延びる第２ガイド部５２と、分岐箇所５５から第２ガイド部の下方で後方へ延びる第３ガイド部５３とを備えており、前蓋部及び後蓋部の両側端には、ガイド溝に受け入れられる支持部１１，１２，２１，２２が設けられており、鍵盤蓋を開く際には、後蓋部の支持部２１，２２が第２ガイド部５２に移動し、前蓋部の支持部１１，１２が第３ガイド部５３に移動し、鍵盤蓋を閉じる際には、前蓋部及び後蓋部が支持部の移動と共に第１ガイド部に沿う位置に至る。【選択図】図４
2008070768.tif 000002
【特許請求の範囲】
【請求項１】
複数の鍵を前部に備え両側部に側板を備えた楽器本体と、前記鍵盤を覆う位置及び開放する位置へ開閉自在に前記楽器本体に装着された鍵盤蓋とを備えた電子鍵盤楽器であって、
前記鍵盤蓋が、閉じた状態において前後に並ぶ前蓋部及び後蓋部と、これら両蓋部の各々に結合された連結片からなり該両蓋部を解除可能に連結する連結対とを備え、
前記前蓋部は、各側端部に前蓋支持部を備え、前記後蓋部は、各側端部に後蓋支持部を備え、
前記側板には、前後方向に延びて前記各支持部を受け入れるガイド溝が設けられており、
該ガイド溝は、前記側板の前側に位置する第１ガイド部と、該第１ガイド部後端の分岐箇所から後方へ延びる第２ガイド部と、前記分岐箇所から前記第２ガイド部の下方で後方へ延びる第３ガイド部とを備えており、
前記鍵盤蓋が閉じられた状態においては、前記第１ガイド部に前記前蓋支持部及び少なくとも一部の後蓋支持部が受け入れられており、
前記鍵盤蓋を開く際には、前記前蓋部が前記後蓋部を伴って後方へ移動し、前記後蓋部が最後方位置に達するときに、前記後蓋支持部が前記第２ガイド部内にあり、前記前蓋支持部が前記連結対による前記前蓋部と後蓋部との連結の解除を伴って前記分岐箇所から前記第３ガイド部へと移動し、引き続く移動により前記前蓋部が前記第３ガイド部に沿って案内され、
前記鍵盤蓋を閉じる際には、前記前蓋部を前方へ移動させることにより、前記前蓋支持部が前記第３ガイド部から前記第１ガイド部に進入する際に前記連結対による前記前蓋部と後蓋部との連結を伴い、連結状態での引き続く移動により前記後蓋支持部が前記第１ガイド部に進入し、これらにより前記前蓋部及び後蓋部が前記第１ガイド部に沿って案内されることを特徴とする電子鍵盤楽器。
【請求項２】
前記前蓋支持部が、前記前蓋部の両側端の前部及び後部に設けられた前蓋前支持部及び前蓋後支持部を備え、前記後蓋部は、両側端の前部及び後部に各々後蓋前支持部及び後蓋後支持部を備え、
前記鍵盤蓋が閉じられた状態においては、前記第１ガイド部に前記前蓋前支持部、前蓋後支持部及び後蓋前支持部が受け入れられており、前記後蓋後支持部は前記第２ガイド部に受け入れられるか又は第１ガイド部受け入れられて第２ガイド部へ移行可能とされており、
前記鍵盤蓋を開く際には、前記後蓋部が最後方位置に達するときに、前記後蓋後支持部及び後蓋前支持部が第２ガイド部内にあり、前記前蓋後支持部が前記連結対による前記前蓋部と後蓋部との連結の解除を伴って前記分岐箇所から前記第３ガイド部へと移動し、引き続く移動により前記前蓋部が前記第３ガイド部に沿って案内され、
前記鍵盤蓋を閉じる際には、前記前蓋部を前方へ移動させることにより、前記前蓋後支持部が前記第３ガイド部から前記第１ガイド部に進入する際に前記連結対による前記前蓋部と後蓋部との連結を伴い、連結状態での引き続く移動により前記後蓋前支持部が前記第１ガイド部に進入し、これらにより前記前蓋部及び後蓋部が前記第１ガイド部に沿って案内されることを特徴とする請求項１に記載の電子鍵盤楽器。
【請求項３】
前記第３ガイド部が、前記分岐箇所から斜め後ろ下方へ曲折した後、後方へ延びており、前記鍵盤蓋を開く際には、前記前蓋後支持部が前記第３ガイド部へ下降するのに伴って、前記連結対による前記前蓋部と後蓋部との連結が解除され、前記鍵盤蓋を閉じる際には、前記前蓋後支持部が前記第３ガイド部から上昇して前記第１ガイド部に進入するのに伴って、前記連結対による前記前蓋部と後蓋部との連結が行なわれることを特徴とする請求項１又は２に記載の電子鍵盤楽器。
【請求項４】
前記連結対が、前記前蓋部の両側端に設けられた前連結片と、前記後蓋部の両側端に設けられた後連結片とを備え、
前記前連結片は、前記後連結片に対して係脱可能であり、係合状態において前記後連結片を前方へ牽引可能に連結し且つ前記後連結片に対し下方へ逸脱可能とされており、
該前連結片は、前記後蓋前支持部が前記分岐箇所に位置したときに該後蓋前支持部を、前記第３ガイド部へ落下しないように下方から支持し、前記前蓋後支持部が前記分岐箇所で前記第３ガイド部へ下降するのに伴って前記前蓋部の前部の下降と共に前記後連結片から逸脱するように配置されていることを特徴とする請求項３に記載の電子鍵盤楽器。
【発明の詳細な説明】
【技術分野】
【０００１】
本発明は、電子ピアノ、電子オルガン等の電子鍵盤楽器に関する。本明細書及び特許請求の範囲においては、電子楽器及びその鍵盤装置において、演奏者に近い方を前方、遠い方を後方と称することとする。
【背景技術】
【０００２】
電子鍵盤楽器においては、鍵盤を覆うための鍵盤蓋として、前後方向へのスライドにより開閉を行なうタイプのものが多く採用されている。その構造を示すものとして、例えば、特許文献１〜３に記載されたものがある。
【０００３】
特許文献１に記載のものは、鍵盤楽器の側板に沿ってガイド溝を設け、鍵盤蓋の両側端の後部をガイド溝に支持し、前後にスライド可能としたものである。この構造においては、鍵盤蓋の鍵を覆う部分が１枚の平板状部材で構成されているので、鍵盤蓋の収納箇所は、該鍵盤蓋と同じ奥行き寸法を備えている必要がある。鍵盤楽器全体の奥行き寸法が大きくなるという問題を有する。
【０００４】
特許文献２に記載のものは、鍵並び方向に延びる細長い板材を前後方向に連結した鍵盤蓋を備えており、該鍵盤蓋は、板材が相互間で屈曲可能であり、鍵盤蓋を開けるときには楽器本体の後部下方へと彎曲しながら移動する。この鍵盤蓋によれば、楽器全体の奥行き寸法は或る程度小さくできるが、鍵盤後方に鍵盤蓋が回り込むためのスペースが必要であるため、十分なコンパクト化は図れない。
【０００５】
特許文献３に記載のものは、鍵盤蓋を前後に２分割し、両側板の各々に設けた上下２本のガイド溝で、前方部分と後方部分とをそれぞれ案内する構造となっている。この構造によれば、鍵盤蓋を開く際には、前方部分と後方部分とを上下に重ねる状態で楽器後方に納めることができるので、楽器全体の奥行き寸法は大幅に短縮できる。しかしながら、この鍵盤蓋は、前方部分及び後方部分の各後部に連結金具を設け、両部分を開放位置まで押し込んだときに、連結金具同士が押し付けられ弾性変形して係合し、前方部分の引き戻し時に、後方部分を連動させる構造となっている。したがって、鍵盤蓋を開く途中で前方部分を引き戻した場合は、押しつけによる連結金具の係合が行なわれていないので、前方部分を引き戻しても後方部分が連動せず、鍵盤を適正に覆うことができないという難点があった。
【特許文献１】実公平７−４９５１１号公報
【特許文献２】実開昭５４−１３３８３４号公報
【特許文献３】実公昭４５−３３４９４号公報
【発明の開示】
【発明が解決しようとする課題】
【０００６】
本発明は、上記従来技術の問題を解決し、楽器奥行き方向の寸法を小さくすることができ、しかも開放途中及び全開のどの位置からでも鍵盤蓋を適正に閉じることができる電子鍵盤楽器を提供することを目的とする。
【課題を解決するための手段】
【０００７】
本発明は、前記目的を達成するため、複数の鍵を前部に備え両側部に側板を備えた楽器本体と、前記鍵盤を覆う位置及び開放する位置へ開閉自在に前記楽器本体に装着された鍵盤蓋とを備えた電子鍵盤楽器であって、前記鍵盤蓋が、閉じた状態において前後に並ぶ前蓋部及び後蓋部と、これら両蓋部の各々に結合された連結片からなり該両蓋部を解除可能に連結する連結対とを備え、前記前蓋部は、各側端部に前蓋支持部を備え、前記後蓋部は、各側端部に後蓋支持部を備え、前記側板には、前後方向に延びて前記各支持部を受け入れるガイド溝が設けられており、該ガイド溝は、前記側板の前側に位置する第１ガイド部と、該第１ガイド部後端の分岐箇所から後方へ延びる第２ガイド部と、前記分岐箇所から前記第２ガイド部の下方で後方へ延びる第３ガイド部とを備えており、前記鍵盤蓋が閉じられた状態においては、前記第１ガイド部に前記前蓋支持部及び少なくとも一部の後蓋支持部が受け入れられており、前記鍵盤蓋を開く際には、前記前蓋部が前記後蓋部を伴って後方へ移動し、前記後蓋部が最後方位置に達するときに、前記後蓋支持部が前記第２ガイド部内にあり、前記前蓋支持部が前記連結対による前記前蓋部と後蓋部との連結の解除を伴って前記分岐箇所から前記第３ガイド部へと移動し、引き続く移動により前記前蓋部が前記第３ガイド部に沿って案内され、前記鍵盤蓋を閉じる際には、前記前蓋部を前方へ移動させることにより、前記前蓋支持部が前記第３ガイド部から前記第１ガイド部に進入する際に前記連結対による前記前蓋部と後蓋部との連結を伴い、連結状態での引き続く移動により前記後蓋支持部が前記第１ガイド部に進入し、これらにより前記前蓋部及び後蓋部が前記第１ガイド部に沿って案内されることを特徴とする電子鍵盤楽器を提供するものである。
【発明の効果】
【０００８】
本発明に係る電子楽器用鍵盤装置においては、前述のように、鍵盤蓋が、前蓋部、後蓋部、及びこれらを連結する連結対とを備えており、前蓋部及び後蓋部は、各々の両側端に支持部を備え、側板に設けられた前後方向に延びるガイド溝に各支持部が案内されることにより、鍵盤蓋を開く際には、前蓋部が後蓋部の下方に位置するようにして楽器後部に収納される。これにより、鍵盤蓋の収納スペースが小さくて済み、楽器奥行き方向の寸法を小さくすることができる。
【０００９】
この収納構造のために、前記ガイド溝は、側板の前側に位置する第１ガイド部と、該第１ガイド部後端の分岐箇所から後方へ延びる第２ガイド部と、該分岐箇所から前記第２ガイド部の下方で後方へ延びる第３ガイド部とを備えている。そして、鍵盤蓋を開く際には、前蓋部が後蓋部を伴って後方へ移動し、後蓋部が最後方位置に達するときに、前記後蓋の支持部が第２ガイド部内にあり、前蓋の支持部が連結対による連結の解除を伴って第１ガイド部から第３ガイド部へと移動し、引き続く移動により前蓋部が第３ガイド部に沿って案内される。その結果、前蓋部が後蓋部の下方に位置するように収納される。
【００１０】
そして、鍵盤蓋を閉じる際には、前蓋部が前方へ移動し、前蓋支持部が第３ガイド部から第１ガイド部に進入する際に連結対による前蓋部と後蓋部との連結を伴い、連結状態での移動により後蓋支持部が第１ガイド部に進入し、これらにより前蓋部及び後蓋部が第１ガイド部に沿って案内される。
【００１１】
このように、鍵盤蓋を開く際には、後蓋部が最後方位置に達するときに、前蓋支持部が、第１ガイド部から第３ガイド部へ移動し、その際に連結対による連結の解除を伴い、鍵盤蓋を閉じる際には、前蓋支持部が第３ガイド部から第１ガイド部へ移動するときに連結対による連結を伴う。したがって、鍵盤蓋を開放途中の位置から閉じる際には、連結対による連結が解除された後であっても、前蓋支持部の移動に伴って連結が行なわれるので、前蓋部と後蓋部は連動する。その結果、開放途中及び全開のどの位置からでも鍵盤蓋を支障なく適正に閉じることができる。
【発明を実施するための最良の形態】
【００１２】
以下、本発明の実施形態について添付図面を参照しつつ説明する。図面中の同一又は同種の部分については、同じ番号を付して説明を省略することがある。
【００１３】
図１(a)及び図２は、本発明の第１実施形態に係る電子鍵盤楽器について、手前側の側板を取り外した状態で、鍵盤及び鍵盤蓋を中心に示しており、図１(a)は鍵盤蓋を閉じた状態、図２は鍵盤蓋を開いた状態を示している。図１(b)は、図１(a)における連結対付近の拡大図である。なお、図１(a)では、楽器を鍵並び方向に一部切欠いて示している。
【００１４】
この電子鍵盤楽器は、鍵盤２ｋ及びその連動部材２ｒ等を有して押鍵時に楽音発生信号を発する鍵盤装置２、該鍵盤装置を支持する棚板３、該棚板前端に結合された口棒４、鍵盤装置の両側部に位置する側板５、鍵盤装置の背面を閉じる背板６、鍵盤装置の後部上方を覆う天板７、及び鍵盤の上方を覆う鍵盤蓋１を備えている。なお、鍵盤位置を所定高さに保つための脚部、楽音を発するスピーカ、楽音の制御装置等については、図示を省略している。
【００１５】
鍵盤蓋１は、図示のように、閉じた状態において前後に並ぶ前蓋部１０及び後蓋部２０と、これら両蓋部を解除可能に連結する連結対３０とを備えている。前蓋部１０は、両側端の前部及び後部に各々前蓋前軸（前蓋前支持部）１１及び前蓋後軸（前蓋後支持部）１２を備え、後蓋部２０は、両側端の前部及び後部に各々後蓋前軸（後蓋前支持部）２１及び後蓋後軸（後蓋後支持部）２２を備えている。側板５の内面側には、前後方向に延びて前記各軸（支持部）を受け入れるガイド溝５０が設けられている。これらの軸１１，１２，２１，２２は、各蓋部の側壁から側方へ突出したピンにより形成されている。尤も、ピンの形態の他、ガイド溝５０内を移動し得るスライド片、或いは、側方へ突出した軸にローラを回転自在に装着したもの等、ガイド溝５０を移動し得る種々の形態とすることができる。
【００１６】
連結対３０は、前蓋部の両側端に設けられた前連結片３１と、後蓋部の両側端に設けられた後連結片３２とを備えている。この実施形態では、前連結片３１は、前蓋部１０の側壁に固定され後方へ突出した平板で形成され、突出部分は上方へ開いた鈎形のフックとされており、後連結片３２は、後蓋前軸２１がその役割を兼用することにより構成されている。これにより、前連結片３１は、後連結片３２（後蓋前軸２１）に対して係脱可能であり、係合状態において後連結片３２を前方へ牽引可能に連結し且つ後連結片３２から下方へ逸脱可能とされている。前連結片３１のフックは、前蓋部１０の後端と後蓋部２０の前端とが接した状態で、後連結片３２（後蓋前軸２１）に係止するように位置決めされている。
【００１７】
ガイド溝５０は、図３に示すように、側板５の前側に位置する第１ガイド部５１と、該第１ガイド部後端の分岐箇所５５から後方へ延びる第２ガイド部５２と、該分岐箇所から前記第２ガイド部の下方で後方へ延びる第３ガイド部５３とを備えている。この実施形態においては、第１ガイド部５１が、側板５の上辺に沿って前方から後方へ上昇するように傾斜しており、第２ガイド部５２は、第１ガイド部５１を延長する方向に分岐箇所５５から短く上昇した後、水平に延び、第３ガイド部５３は分岐箇所５５から斜め後ろ下方へ曲折した後、水平に延びている。
【００１８】
ガイド溝５０と軸１１，１２，２１，２２とは、次の位置関係をとるように設けられる。鍵盤蓋１が閉じられた状態においては、図４に示すように、第１ガイド部５１に前蓋前軸１１、前蓋後軸１２及び後蓋前軸２１が受け入れられており、後蓋後軸２２は第２ガイド部５２に受け入れられている。鍵盤蓋を開く際には、前蓋部１０の後端部が後蓋部２０の前端部に接しているので、前蓋部１０の前端部を後方へ押すと、両蓋部が後方へ移動する。図５〜図７は、開放の途中状態を示している。
【００１９】
図５から図６へ移行する途中で、後蓋前軸２１は分岐箇所５５を通過する。そのときには、連結対３０の前連結片３１が後連結片３２を下から支持しているので、後蓋前軸２１が分岐箇所５５で第３ガイド部５３へ落下することはない。
【００２０】
図７では、後蓋部２０は、後端が背板６に当接した最後方位置に達している。このとき、後蓋後軸２２及び後蓋前軸２１は第２ガイド部５２内にあり、前蓋後軸１２は、分岐箇所５５に位置する。分岐箇所５５では、第３ガイド部５３が下方へ延びているので、図８に示すように、前蓋後軸１２は、前蓋部１０の重量により第３ガイド部５３へと移動する。これにより、前蓋部１０の後部が下降し、連結対３０の前連結片３１は後連結片３２から外れ、連結が解除される。
【００２１】
図１１は、連結状態の変化過程を詳細に示している。鍵盤蓋を開ける際には、前蓋部１０の後端部１３が後蓋部２０の前端部２３に当接し、前蓋部１０の後方への移動と共に後蓋部２０を押し動かす。図１１(a)では、前蓋部１０が後方へ移動して、前蓋後軸１２が分岐箇所５５に接近し、図１１(b)では、後蓋部２０が最後方位置に達し、前蓋後軸１２は、分岐箇所５５に位置している。図１１(c)では、前蓋後軸１２が第３ガイド部５３へと移動し、連結対３０の前連結片３１は後連結片３２から外れて連結が解除され、図１１(d)では、前蓋部１０がさらに後方へ移動している。
【００２２】
そして、図９に示すように、さらに前蓋部１０を押すことにより、前蓋部１０は第３ガイド部５３に沿って案内され、図１０では、前蓋後軸１２が第３ガイド部５３の後端に当接して最後方位置に至っている。
【００２３】
鍵盤蓋を閉じる際には、前蓋部１０を前方へ移動させる。これにより、前蓋後軸１２が分岐箇所５５に接近し（図１１(d)）、さらに前進して第３ガイド部５３の傾斜を上昇し、これに伴って連結対３０の前連結片３１も上昇する（図１１(c)）。さらに前蓋部１０が前方へ引き寄せられると、前蓋後軸１２は分岐箇所５５まで上昇し、この状態で前連結片３１は後連結片３２に係合して連結状態を形成している（図１１(b)）。この状態で、さらに前蓋部１０を前方へ引き寄せると、前蓋後軸１２が第１ガイド部５１に進入し、後蓋部２０は前蓋部１０に伴われ、共に第１ガイド部５１に沿って前方へ移動する（図１１(a)）。そして、さらに後蓋前軸２１が第１ガイド部５１に進入し、再び鍵盤蓋が閉じた状態に至る（図４）。
【００２４】
したがって、この鍵盤蓋及びその支持構造によれば、鍵盤蓋１を閉じた状態から開けるには、前蓋部１０を後方へ押し動かせばよく、これにより、先ず後蓋部２０が天板７の下方に収納され、続く移動により前蓋部１０が後蓋部２０の下方へ収納される。この収納形態により、楽器奥行き方向の寸法を小さくすることができる。また、鍵盤蓋１を閉じる際には、前蓋部１０を天板７の下方から引き出せばよく、或る程度引き出した段階で連結対３０により後蓋部２０が前蓋部１０に連結されて共に引き出される。したがって、前蓋部１０が前端位置に達したときには、後蓋部２０と共に鍵盤が適正に覆われた状態となる。
【００２５】
さらに、鍵盤蓋１を途中まで開いた状態から閉じる際には、図５〜図７に示すように連結対３０の係合が保たれていれば、その連結状態のまま前蓋部１０と共に後蓋部２０も閉じる方向へ移動する。一方、図８〜図１０に示すように、連結対３０の係合が解除されているときでも、後蓋前軸２１が分岐箇所５５に戻る際に連結対３０の係合が生じ、後蓋部２０が前蓋部１０に連結されて共に引き出される。したがって、鍵盤蓋１を途中まで開いた状態から閉じる際にも、鍵盤が適正に覆われた状態が得られる。
【００２６】
なお、後蓋部２０が最後方位置に至った後、該位置を確保するために、図３に別個に示すように、第３ガイド部５３の後端に下方への浅い窪み５２ｅを設けることもできる。これにより、後蓋部２０が最後方位置に至ったとき、後蓋後軸２２が窪み５２ｅに進入して前方に移動し難くなり、最後方位置が確保される。窪み５２ｅは浅く形成されるので、鍵盤蓋を閉じる際に、後蓋部２０が牽引されると、後蓋後軸２２は窪み５２ｅから抜け出して前方へ移動する。このように最後方位置が確保されることにより、後連結片３２の位置も安定しており、鍵盤蓋を閉じる際に、より確実に後蓋前軸２１が後連結片３２に係合する。
【００２７】
図１２は、本発明の第２の実施形態を示している。この実施形態においては、ガイド溝５０ａの第１ガイド部５１ａが水平に延びている。そして、第２ガイド部５２ａは、第１ガイド部５１ａを延長するように分岐箇所５５ａから水平に延び、第３ガイド部５３ａは分岐箇所５５ａから斜め後ろ下方へ曲折した後、水平に延びている。このガイド溝５０ａの形態に対応して、側板５ａは上辺が水平となっており、鍵盤蓋１ａの前蓋部１０ａ及び後蓋部２０ａは、水平に配置されている。他の基本的な構造は、先の実施形態と同じである。
【００２８】
この実施形態においても、鍵盤蓋１ａを開く際には、後蓋前軸２１ａが第２ガイド部５２ａに移行し、前蓋後軸１２ａ及び前蓋前軸１１ａが分岐箇所５５ａから第３ガイド部５３ａへ移行し、前連結片３１ａ及び後連結片３２ａが、この移行に作用する。その動作機構は先の実施形態と同じである。したがって、前蓋部１０ａが後蓋部２０ａの下方へ収納される収納形態により、楽器奥行き方向の寸法を小さくすることができる。また、鍵盤蓋１ａを途中まで開いた状態から閉じる際にも、鍵盤が適正に覆われた状態が得られる。
【００２９】
さらに、この実施形態においては、上記のように鍵盤蓋１ａ、ガイド溝５０ａ及び側板５ａの上辺が水平に構成されているので、これらの鍵盤の高さに接近して配置することができ、楽器の高さを低くすることができる。その結果、楽器奥行き方向の寸法の短縮化と相俟って、楽器全体を極めてコンパクトにすることができる。
【００３０】
本発明は、上記実施形態に限定されるものではなく、種々の変形が可能である。例えば、連結対３０の内の後連結片３２を後蓋前軸２１と兼用していたが、これらを別個に設けてもよい。
【００３１】
また、連結対３０は、前連結片３１をフック状、後連結片３２をピンとしていたが、これらの形態を逆にして、前連結片をピンその他の係止片、後連結片をフック状とすることもできる。この場合は、前連結片が分岐箇所で下方へ移動できるように、後連結片のフックは下方へ開いた形状とされる。このフック形状であれば、後蓋前軸が分岐箇所に至ったときは、前連結片（ピン等）に後連結片（フック）が係止していることにより、後蓋部の前部が支持されるので、後蓋前軸は、第３ガイド部へ落下することなく分岐箇所を通過することができる。さらに、連結対を構成する前連結片及び後連結片の双方を相互に係脱可能なフック状とすることもでき、この場合は、上記と同様の作用を得るために、前連結片は上に開き、後連結片は下に開く形状とされる。
【００３２】
上記実施形態では、鍵盤蓋を閉じた状態で、後蓋後軸が第２ガイド部に位置していたが、後蓋後軸をガイド溝に沿って延びる細長い形状とするなどにより、後蓋後軸が分岐箇所で第３ガイド部へ進入することなく、第２ガイド部へ移行するようにすれば、鍵盤蓋を閉じた状態で後蓋後軸を第１ガイド部に位置させることもできる。
【００３３】
上記実施形態では、第３ガイド部は、分岐箇所から斜め後ろ下方へ曲折した後、後方へ延びる形状とされ、前蓋後軸は分岐箇所で前蓋部の重量で第３ガイド部へ下降するようになっていたが、図１３に示すような回転子８を設ける等により、鍵盤蓋を開ける際に、分岐箇所で後蓋前軸を第２ガイド部へ導き、前蓋後軸を第３ガイド部へ導くような案内作用を持たせることにより、第３ガイド部を分岐箇所から下降することなく後方へ延ばすこともできる。図示の回転子８は、回転軸８３により相互に角度をなして分岐箇所に支持された第１片８１と第２片８２とを備えている。回転子８の回動位置は、図１３に実線と破線とで示されている。回転子８が実線の位置にあるときには、第１片８１が第３ガイド部を閉じ、第２片８２は第２ガイド部を閉じるように位置しており、図外のストッパにより図の左回転方向にはこれ以上回転しないようになっている。一方、回転子８が破線の位置にあるときには、第１片８１が第２ガイド部を閉じ、第２片８２は回転軸８３から第２ガイド部に沿うように位置しており、図外のストッパにより図の右回転方向にはこれ以上回転しないようになっている。
【００３４】
鍵盤蓋を開く際、後蓋前軸２１が第１ガイド部５１ｂを後方へ移動するときには、回転子８は実線の位置にあり、後蓋前軸２１が第２片８２に当接することにより、回転子８を回動させて破線の位置に移動させつつ第２ガイド部５２ｂへ移行する。その後、前蓋後軸１２及び前蓋前軸１１が分岐箇所５５ｂに到達するときには、回転子８は破線の位置にあるので、第１片８１に案内されて第２ガイド部５２ｂへと移行する。鍵盤蓋を閉じる際には、回転子８は破線の位置にあるので、前蓋前軸１１及び前蓋後軸１２が第２ガイド部５２ｂから分岐箇所５５ｂを経て第１ガイド部５１ｂへ移行する。その後、後蓋前軸２１が第３ガイド部５３ｂから前進して第１片８１に当接すると、回転子８は回動して実線の位置に至り、後蓋前軸２１は第１ガイド部５１ｂへと移行する。このようにして、鍵盤蓋の開閉が適正に行なわれる。なお、回転子８には、実線及び破線への回転位置で保持され後蓋前軸２１の当接により保持が解かれるような保持構造を設けるのが望ましい。図１３の例では、第１片８１及び第２片８２の先端部を各々に受け入れて係止する凹部５３０及び５２０が第３ガイド部５３ｂ及び第２ガイド部５２ｂに形成され、後蓋前軸２１の当接によりその係止を解くようにした保持機構が設けられている。
【図面の簡単な説明】
【００３５】
【図１】本発明の第１実施形態に係る電子鍵盤楽器について、手前側の側板を取り外した状態で、鍵盤及び鍵盤蓋を中心に示しており、図１(a)は鍵盤蓋を閉じた状態の斜視図、図１(b)は、図１(a)における連結対付近の拡大図である。
【図２】図１に示した電子鍵盤楽器の鍵盤蓋を開いた状態を示す斜視図である。
【図３】図１に示す電子鍵盤楽器の側板の側面図である。
【図４】図１に示す電子鍵盤楽器の縦断側面図であり、鍵盤蓋が閉じた状態を示している。
【図５】図１に示す電子鍵盤楽器の縦断側面図であり、鍵盤蓋が少し開いた状態を示している。
【図６】図１に示す電子鍵盤楽器の縦断側面図であり、鍵盤蓋がさらに開いた状態を示している。
【図７】図１に示す電子鍵盤楽器の縦断側面図であり、鍵盤蓋がさらに開いた状態を示している。
【図８】図１に示す電子鍵盤楽器の縦断側面図であり、鍵盤蓋がさらに開いた状態を示している。
【図９】図１に示す電子鍵盤楽器の縦断側面図であり、鍵盤蓋がさらに開いた状態を示している。
【図１０】図１に示す電子鍵盤楽器の縦断側面図であり、鍵盤蓋が完全に開いた状態を示している。
【図１１】図１に示す電子鍵盤楽器における前蓋部と後蓋部との連結状態の変化を示す説明図である。
【図１２】本発明の第二実施形態に係る電子鍵盤楽器の縦断側面図であり、鍵盤蓋が完全に開いた状態を示している。
【図１３】本発明の他の実施形態についてガイド溝での案内機構を示す側面図である。
【符号の説明】
【００３６】
１，１ａ：鍵盤蓋、  １０，１０ａ：前蓋部、  １１，１１ａ：前蓋前軸（前蓋前支持部）、  １２，１２ａ：前蓋後軸（前蓋後支持部）、  ２０，２０ａ：後蓋部、  ２１，２１ａ：後蓋前軸（後蓋前支持部）、  ２２，２２ａ：後蓋後軸（後蓋後支持部）、  ３０：連結対、  ３１，３１ａ：前連結片、  ３２，３２ａ：後連結片、  ５０，５０ａ：ガイド溝、  ５１，５１ａ，５１ｂ：第１ガイド部、  ５２，５２ａ，５２ｂ：第２ガイド部、  ５３，５３ａ，５３ｂ：第３ガイド部、  ５５，５５ａ，５５ｂ：分岐箇所
【図１】
2008070768.tif 000003
【図２】
2008070768.tif 000004
【図３】
2008070768.tif 000005
【図４】
2008070768.tif 000006
【図５】
2008070768.tif 000007
【図６】
2008070768.tif 000008
【図７】
2008070768.tif 000009
【図８】
2008070768.tif 000010
【図９】
2008070768.tif 000011
【図１０】
2008070768.tif 000012
【図１１】
2008070768.tif 000013
【図１２】
2008070768.tif 000014
【図１３】
2008070768.tif 000015